(57)【要約】  【課題】  チューブに連結する作業を容易とし、下側から開封する場合も容易に開封でき、かつ点滴時の紫外線などによる品質変化を防止できる点滴容器包装袋を提供する。  【解決手段】  点滴容器６を密封状態で収納する包装袋であって、袋下部に下端辺１ａと平行状の下部切裂き案内線２を設け、袋上中央部１ｂに点滴容器６のフック部６ａを露出させるようにした状態において、点滴容器下端の栓体６ｂ付近が位置する袋部位を切裂き可能なように、下部切裂き案内線２の上方に平行する下部上側切裂き案内線３を設けてなる構成を有する点滴容器包装袋１とした。【選択図】  図１
2006167050.tif 000002
【特許請求の範囲】
【請求項１】
点滴容器を密封状態で収納する包装袋であって、袋上中央部に点滴容器のフック部を露出させるようにした状態において、点滴容器下端の栓体付近が位置する袋部位を切裂き可能なように、下端辺と平行状の切裂き案内線を袋に設けてなる構成を有する点滴容器包装袋。
【請求項２】
点滴容器を密封状態で収納する包装袋であって、袋下部に下端辺と平行状の下部切裂き案内線を設け、袋上中央部に点滴容器のフック部を露出させるようにした状態において、点滴容器下端の栓体付近が位置する袋部位を切裂き可能なように、下部切裂き案内線の上方に平行する下部上側切裂き案内線を設けてなる構成を有する点滴容器包装袋。
【請求項３】
少なくとも透過性と遮光性を有するシートの三辺を融着するとともに点滴容器を収納した上で、他の一辺を融着する点滴容器用包装袋であって、袋下部に下端辺と平行状の下部切裂き案内線を設け、点滴容器のフック部を露出可能とする開口を上端から抉り形成可能なように、袋上中央部に上部切裂き案内線を設け、これを切裂いて設けた開口部にフック部が露出するように点滴容器を位置させた状態において、点滴容器下端の栓体付近が位置する袋部位を切裂き可能なように、下部切裂き案内線の上方に平行する下部上側切裂き案内線を設けてなる構成を有する点滴容器包装袋。
【請求項４】
点滴容器を密封状態で収納する包装袋であって、袋下部に下端辺と平行状の下部切裂き案内線を設け、袋上中央部に上部切裂き案内線を設け、下部切裂き案内線の上方に平行する下部上側切裂き案内線を設けた構成を有する点滴容器包装袋を用い、下部切裂き案内線に沿って袋下部を切裂き開口した後、下部上側切裂き案内線に沿って袋下部を切除するとともに、上部切裂き案内線に沿って袋上中央部を切裂き開口し、この開口部に点滴容器のフック部を露出させて吊下げ、袋は、その開口下端部が下端の栓体に位置して点滴容器を被覆するようにしたことを特徴とする点滴容器包装袋の使用方法。
【請求項５】
点滴容器を密封状態で収納する包装袋であって、袋下部に下端辺と平行状の下部切裂き案内線を設け、袋上中央部に上部切裂き案内線を設け、下部切裂き案内線の上方に平行する下部上側切裂き案内線を設けた構成を有する点滴容器包装袋を用い、上部切裂き案内線に沿って袋上中央部を切裂き開口した後、下部切裂き案内線に沿って袋下部を切裂き開口するとともに、下部上側切裂き案内線に沿って袋下部を切除し、袋上中央部の開口部に点滴容器のフック部を露出させて吊下げ、袋は、その開口下端部が下端の栓体に位置して点滴容器を被覆するようにしたことを特徴とする点滴容器包装袋の使用方法。
【発明の詳細な説明】
【技術分野】
【０００１】
本発明は、点滴容器を密封状態で収納する点滴容器包装袋に関する。
【背景技術】
【０００２】
病室で患者に点滴をする場合、点滴容器にナイロン、ポリエチレンなどのフィルムからなる袋を容器に被せて紫外線の照射などによる品質変化の防止を図ることがある。
このような袋の一例としては、遮光性のある点滴容器包装袋の上側を開封して上側中央付近のみを開口させ、この開口から点滴容器の上端にあるフック部を露出し、フック部をフックなどに掛け、その後、下側を開封し、そのまま包装袋を点滴時にも使用できるようにしたものがある（下記、特許文献１参照）。
【０００３】
【特許文献１】特許第３２４０２５３号公報
【発明の開示】
【発明が解決しようとする課題】
【０００４】
点滴容器は、下部にある栓体を開封し、ゴム栓に注射針を刺してチューブに連結したり、螺合によりチューブに連結したりして点滴に用いるものであるが、この際、上記従来の発明では、栓体部分まで袋で覆われているため、一方の手で袋をめくりつつ点滴容器を掴み、他方の手でチューブ側を持って作業しなければならないものである。このため、チューブ元端針を斜めに刺してしまい側壁に突き刺すおそれや、螺合しにくいという問題、操作が煩わしいという問題などがあった。
また、上記従来の発明では、フック部をフックなどに掛けてから下側を開封するのでは、点滴容器を内蔵して膨らんだ密封状態の袋を切裂くために、切裂き力を適切に入れにくいのみならず、袋に与える切裂き力の方向性が不安定となって、袋が切裂きにくく或いは切裂き方向性が乱れるなどして、適切に開封しにくくなりやすかった。下側から開封する場合も点滴容器が袋内に介在しているため、やはり同様に点滴容器の下部に引っ掛かるので、開封しにくい傾向があった。
【０００５】
本発明は、上記のような従来の欠点に着眼してなしたものであり、品質劣化を防止しつつ密封状態でバッグ等の点滴容器を保存し得る包装袋を、そのまま品質劣化を防止しつつ点滴時の点滴容器カバーとして使用可能とした包装袋を提供するにあたり、適正な切裂き部位での袋の切裂き容易性と安定性を実現し、点滴容器と点滴チューブとの連結操作などを煩わしさを生じさせずに簡易に行えるようにし、上下いずれの側からの開封であってもこれらの操作が良好に行えるようにした点滴容器包装袋を提供せんとするものである。
【課題を解決するための手段】
【０００６】
本発明は、上記課題を解決するため、点滴容器を密封状態で収納する包装袋であって、袋上中央部に点滴容器のフック部を露出させるようにした状態において、点滴容器下端の栓体付近が位置する袋部位を切裂き可能なように、下端辺と平行状の切裂き案内線を袋に設けて点滴容器包装袋を構成したことを特徴とするものである。
また、本発明は、点滴容器を密封状態で収納する包装袋であって、袋下部に下端辺と平行状の下部切裂き案内線を設け、袋上中央部に点滴容器のフック部を露出させるようにした状態において、点滴容器下端の栓体付近が位置する袋部位を切裂き可能なように、下部切裂き案内線の上方に平行する下部上側切裂き案内線を設けて点滴容器包装袋を構成したことも特徴とする。
好ましくは、少なくとも透過性と遮光性を有するシートの三辺を融着するとともに点滴容器を収納した上で、他の一辺を融着する点滴容器用包装袋であって、袋下部に下端辺と平行状の下部切裂き案内線を設け、点滴容器のフック部を露出可能とする開口を上端から抉り形成可能なように、袋上中央部に上部切裂き案内線を設け、これを切裂いて設けた開口部にフック部が露出するように点滴容器を位置させた状態において、点滴容器下端の栓体付近が位置する袋部位を切裂き可能なように、下部切裂き案内線の上方に平行する下部上側切裂き案内線を設けて点滴容器包装袋を構成するのがよい。
【０００７】
本発明は、さらに、点滴容器を密封状態で収納する包装袋であって、袋下部に下端辺と平行状の下部切裂き案内線を設け、袋上中央部に上部切裂き案内線を設け、下部切裂き案内線の上方に平行する下部上側切裂き案内線を設けた構成を有する点滴容器包装袋を用い、下部切裂き案内線に沿って袋下部を切裂き開口した後、下部上側切裂き案内線に沿って袋下部を切除するとともに、上部切裂き案内線に沿って袋上中央部を切裂き開口し、この開口部に点滴容器のフック部を露出させて吊下げ、袋は、その開口下端部が下端の栓体に位置して点滴容器を被覆するようにした点滴容器包装袋の使用方法を対象とする。
この使用方法は、上部切裂き案内線に沿って袋上中央部を切裂き開口した後、下部切裂き案内線に沿って袋下部を切裂き開口するとともに、下部上側切裂き案内線に沿って袋下部を切除し、袋上中央部の開口部に点滴容器のフック部を露出させて吊下げ、袋は、その開口下端部が下端の栓体に位置して点滴容器を被覆するものとすることもできる。
【発明の効果】
【０００８】
本発明によれば、点滴容器を保存する包装袋として使用し、かつ点滴時の点滴容器カバーとして使用可能とした品質劣化を防止可能な包装袋を提供することができる。
本発明は、袋上中央部に点滴容器のフック部を露出させるようにした状態において、栓体が位置する袋部位付近を切裂き可能なように、下端辺と平行状の切裂き案内線を袋に設け、特に下部上側切裂き案内線を設けたので、点滴容器使用時には、袋の下端開口部が栓体付近に位置するように切裂きができ、チューブ接続のために袋下部をめくり上げたりする必要がなく、視認性がよい状態で、誤作業のおそれがない点滴準備操作を可能とする。
袋下部に下部切裂き案内線を設け、その上方に平行状に下部上側切裂き案内線を設けることにより、適正な切裂き部位での袋の切裂き容易性と安定性を実現し、点滴容器と点滴チューブとの連結操作などを煩わしさを生じさせずに簡易に行えるようにし、上下いずれの側からの開封であってもこれらの操作が良好に行えることになる。
【発明を実施するための最良の形態】
【０００９】
以下、本発明を好適な実施形態例として示した図面によって説明する。
図１は本発明の点滴容器包装袋の一実施形態を示した正面略図、図２〜５は図１の点滴容器包装袋の使用方法の一例を示した正面略図である。
この点滴容器包装袋１は、矩形状の合成樹脂シートに、下端辺１ａに平行状の下部切裂き案内線２と、下部切裂き案内線２の上方に平行する下部上側切裂き案内線３と、上中央部１ｂに上部切裂き案内線４とを設け、表裏シートを接着、融着などによりシート体の四周辺を密封して袋体として形成し、好ましくは表裏シートの左右側辺と下辺の三辺を密封し、点滴容器６を袋内に収納した上で、他の一辺すなわち上辺を密封することにより密封してなっており、袋上中央部１ｂを切裂くことにより開口部５を形成でき、下部切裂き案内線２及び下部上側切裂き案内線３を切裂くことにより包装袋下側を開口できるようにしてある。
【００１０】
上記包装袋１の素材は特に限定するものではないが、従来公知の一層又は二層以上を積層（ラミネート）した合成樹脂シートを用いるのが好ましく、特に、透過性と遮光性とを有するものが好ましい。例えば、ポリエチレンテレフタレート、ポリプロピレン、ポリエチレン、ナイロンなどのシートやこれら二以上を積層したシートを用いることができ、特に、遮光性インキなどにより印刷した印刷層を層上或いは層間に積層したものが好ましい。具体的には、透明蒸着ポリエチレンテレフタレート（ＶＭＰＥＴ）シート上に、延伸ナイロン（ＯＮＹ）シートをドライラミネートし、その上に、遮光性インキにより印刷層を積層し、さらにその上に直鎖状低密度ポリエチレン（ＬＬＤＰＥ）シートをドライラミネートしたシートなどを用いることができる。
【００１１】
包装袋１の袋上中央部１ｂは、この部位を切裂くことにより開口部５が形成でき、この開口部５から点滴容器６の上側に設けたフック部６ａが露出できるようにしてあるとともに、点滴容器６の両肩部６ｃに上記開口両側の袋上辺の左右密封部分が掛け止め可能なようにしてある。本実施形態では、袋上中央部に、フック部６ａの左右幅程度の開拡幅を有し、上辺の密封幅よりも深い上下高さを有した略Ｖ字状の断続切り筋を形成して、上部切裂き案内線４を形成し、袋上中央部１ｂを上端から抉り込むように切裂くことにより、開口部５を形成できるようにしてある。上部切裂き案内線４は、上方開拡の略Ｖ字状の他、略Ｕ字状、下方を短辺とした略台形状などとすることもできる。
【００１２】
下部切裂き案内線２及び下部上側切裂き案内線３は、袋１を幅方向に開封できるようにしたものである。下部切裂き案内線２は、袋１の下辺密封部分の内側に近接して下端辺１ａと平行状に設けてあり、下部上側切裂き案内線３は、下部切裂き案内線２の上方に下部切裂き案内線２と平行するように、かつ、袋上中央部に設けた開口部５に点滴容器６のフック部６ａを露出させるようにした状態において、点滴容器６下端の栓体６ｂ位置に合致するようにして、形成してある。
本実施形態では、下部切裂き案内線２は、左右両側端辺１ｄ、１ｄに対向するノッチ７ａを設け、このノッチ７ａの上側に下端辺１ａと平行する筋８ａを設けることにより形成してある。この筋８ａは、樹脂シートの厚みが薄くなるように刻設したものであり、ノッチ７ａから切裂き開始した際、左右側方に延伸してなる樹脂シートが筋８ａを越えないで下辺に沿って切裂きできるようにしたものである。下部上側切裂き案内線３は、両側端辺１ｄに対向するノッチ７ｂを設け、このノッチ７ｂを挟むように上下に並行した筋８ｂ、８ｃを設けることにより形成してあり、同様にして切裂き方向性を安定化するようにしてある。
下部切裂き案内線２及び下部上側切裂き案内線３は、袋１の幅方向に切裂きやすくしてあればよく、幅方向の溝筋或いはミシン目などであってもよい。
【００１３】
点滴容器６は、オザグレルナトリウムなどの点滴液を充填したものであり、上側にフック部６ａを、下側に栓体６ｂで密封した口部を設けたものである。
フック部６ａは、袋上中央部１ｂから露出できるようにしてあり、露出状態でフック９などに引っ掛け、点滴容器６を吊下げできるようにしたものである。本実施形態では、フック部６ａは、円形孔状に形成してあるが、これに限定されない。
栓体６ｂは、点滴用チューブ１０を連結する箇所であり、本実施形態では、プルリングを下方に引き外してゴム栓を露出させ、ゴム栓にチューブ端の注射針を刺し込んで容器内に連通することができるようにしてある。
【００１４】
以下、上記点滴容器包装袋１の使用方法を説明する。
図２に示すように、下部切裂き案内線２の一方のノッチ７ａ側から幅方向に切裂いて袋の下部を開封する。次に、図３に示すように、下部上側切裂き案内線３の一方のノッチ７ｂ側から幅方向に切裂いて袋１の下部を切除し、開口下端部を形成する。このように開封することにより、従来では、密封袋の開口部に点滴容器６が引っ掛かって開封がスムーズに行い難いことがあったが、本発明では、包装袋１の密封された下辺に近接して下部切裂き案内線２が形成されているので、表裏シートが直接重なり合っている部分の下部切裂き案内線２は極めて容易に切裂きができ、下部切裂き案内線２を先に開封しておくことにより、袋下側が開いて表裏シートが自由端となり、撓みやすくなるため、下部上側切裂き案内線３を切裂く際、点滴容器６に引っ掛かることがなくなり、容易な開封が可能となる。
【００１５】
その後、図４に示すように、上部切裂き案内線４を上端から抉り取るように切裂いて開口部５を形成し、開口部５からフック部６ａを露出させ、フック９などに引っ掛け、点滴容器６を吊下げる。
こうして図５に示すように、点滴容器６に被ってカバーとなった包装袋１の袋下端縁は、下部上側切裂き案内線３によって栓体６ｂ部位に位置するように開封して形成されるので、点滴容器本体部分はカバーされるが、栓体６ｂが隠れてしまうことはなく、栓体６ｂが外部から見やすく、作業しやすい状態に位置することになる。したがって、栓体６ｂのプルリングを下方に引き外してゴム栓を露出させ、注射針を刺して、チューブ１０を点滴容器に連通させる一連の操作が極めて行ない易いものとなる。
【００１６】
点滴容器包装袋１の他の使用方法としては、上部切裂き案内線４を上端から切裂いて開口部５を形成し、開口部５からフック部６ａを露出させる。フック部６ａはフック９などに引っ掛けて点滴容器６を吊下げることができる。次いで、下部切裂き案内線２を開封し、次いで下部上側切裂き案内線３を一方のノッチ７ｂ側から幅方向に切裂いて袋１の下部を切除し、開口下端部を形成することができる。この場合でも、点滴容器６に被ってカバーとなった包装袋１の袋下端縁は、栓体６ｂ部位に位置するようになるので、栓体６ｂが隠れてしまうことがなく、栓体６ｂが外部から見やすく、作業しやすいものとなる。
【００１７】
なお、上部切裂き案内線４を上端から切裂いて開口部５を形成し、開口部５からフック部６ａを露出させ、フック部６ａをフック９などに引っ掛けて点滴容器６を吊下げた上で、直接、下部上側切裂き案内線３を一方のノッチ７ｂ側から幅方向に切裂いて袋１の下部を切除し、開口下端部を形成することも可能である。
【００１８】
図６は、本発明の他の一例実施形態の点滴容器包装袋１１を示してある。
本実施形態は、前記包装袋１に対して、袋上中央部１ｂの開口の形態を変更したものである。前記実施形態と同一構成部分は、同一名称、同一符号を用いてある。
包装袋１１は、上端辺１１ａの密封部分内方に若干間隔をおいて、かつ、左右幅方向に適宜間隔、好ましくは点滴容器のフック部幅に略々合致した間隔をおいて、スポット融着した融着部１２ａを設けてあり、その間を開口部１２としたものである。開口部１２と上端辺１１ａとの間には、袋１１を幅方向に切裂き可能な上部切裂き案内線１３が設けてあり、この案内線１３を切裂くことにより、袋１１の上部を切除して開口部１２を開口させる。上記案内線１３は、前記実施形態で説明した下部切裂き案内線２又は下部上側切裂き案内線３と同一の構成とすることができる。
【００１９】
この点滴容器包装袋１１の使用方法は、図７に示すようであるが、前記点滴容器包装袋１と同様であって、点滴容器のフック部６ａを露出させる開口部１２の形成方法が異なるのみである。
すなわち、上部切裂き案内線１３を一方の側端辺１１ｂ側から切裂いて開口部１２を開口させればよい。フック部６ａは融着部１２ａ、１２ａ間から露出し、融着部１２ａ、１２ａは点滴容器６の両肩部に係止し、包装袋１は点滴容器に掛け止まる。
なお、上記実施形態の構成態様は、本発明を限定するものとして挙げたものではなく、技術目的と効用を共通にする変更が可能であり、本発明はそれらを含むものである。
【図面の簡単な説明】
【００２０】
【図１】本発明の点滴容器包装袋の一実施形態を示した正面略図である。
【図２】図１の包装袋の使用方法の一例を示したものであり、下部切裂き案内線を切裂いた状態を示した正面略図である。
【図３】同使用方法の一例を示し、下部上側切裂き案内線を切裂いた状態を示した正面略図である。
【図４】同じく上部切裂き案内線を切裂いた状態を示した正面略図である。
【図５】図１の点滴容器包装袋を用いて点滴を行う状態を示した正面略図である。
【図６】本発明の別の一実施形態を示した正面略図である。
【図７】図６の点滴容器包装袋を用いて点滴を行う状態を示した正面略図である。
【符号の説明】
【００２１】
１点適容器包装袋、  １ａ下端辺、  １ｂ袋上中央部、  １ｃ上端辺、  １ｄ側端辺、
２下部切裂き案内線、  ３下部上側切裂き案内線、  ４上部切裂き案内線、  ５開口部、
６点滴容器、  ６ａフック部、  ６ｂ栓体、  ６ｃ肩部、  ７ａ、７ｂノッチ、
８ａ、８ｂ、８ｃ筋、  ９フック、  １０チューブ、  １１点滴容器包装袋、
１１ａ上端辺、  １１ｂ側端辺、  １２開口部、  １２ａ融着部、
１３上部切裂き案内線
【図１】
2006167050.tif 000003
【図２】
2006167050.tif 000004
【図３】
2006167050.tif 000005
【図４】
2006167050.tif 000006
【図５】
2006167050.tif 000007
【図６】
2006167050.tif 000008
【図７】
2006167050.tif 000009